(57)【特許請求の範囲】
【請求項１】
記録装置本体と、当該記録装置本体に回転自在に支持された排出スタッカとを有し、記録書込みした記録媒体を排出ローラとギザローラとによって挟持して前記排出スタッカに排出する記録装置において、
前記排出スタッカは、第１排出スタッカと、当該第１排出スタッカに格納・引出自在に設けられた第２排出スタッカとを有し、
前記第１排出スタッカは、排出される前記記録媒体を略水平に支持する、当該第１排出スタッカと一体的に形成されている支持部を備え、
前記第２排出スタッカを前記第１排出スタッカから引き出した状態で、前記第２排出スタッカの先端部に前記記録媒体が到達した時には、前記排出ローラとギザローラとの挟持部、前記支持部の頂部、及び前記第２排出スタッカの先端部で、前記記録媒体を略水平に支持することにより、前記記録媒体の重さが前記挟持部付近に集中しないようにすることを特徴とする記録装置。
【請求項２】
前記支持部は、山形状の複数の板状部材を有し、当該板状部材が、前記排出スタッカの上面にて前記記録媒体の排出方向と直交する方向に所定間隔をあけて並設されていることを特徴とする請求項１に記載の記録装置。
【請求項３】
記録装置本体に回転自在に支持され、排出される記録媒体を保持する排出スタッカにおいて、
請求項１または２に記載の構造を有することを特徴とする記録媒体の排出スタッカ。
【発明の詳細な説明】
【０００１】
【発明の属する技術分野】
本発明は、プリンタ等の記録装置及び排出される記録媒体を保持する排出スタッカに関する。
【０００２】
【従来の技術】
図７は、従来のプリンタにおける排紙スタッカの周辺部を示す断面側面図である。この排紙スタッカ１は、プリンタ本体２の排紙口３に対して開閉可能なように装着されている。このような構成のプリンタに供給される用紙は、記録ヘッド４により記録され、排紙ローラ５により排紙口３へ送り出され、排紙スタッカ１上に排出されて保持されるようになっている。
【０００３】
【発明が解決しようとする課題】
一般に、排紙スタッカは、プリンタの外観を損なわないように、プリンタ本体の前面形状に合わせた形状に形成されている。特に最近のプリンタ本体の前面形状は丸みを帯びた形状が主流となっており、上述した従来の排紙スタッカ１も、図７に示すように、丸みを帯びたプリンタ本体２の前面形状に合わせて湾曲した形状に形成されている。このため、排紙スタッカ１の先端の高さは、排紙ローラ５により排紙口３へ送り出されたときの用紙（図示点線）の高さより高くなる傾向にある。
【０００４】
このような排紙スタッカ１を用いると、図の実線で示す用紙Ｐ１のように、用紙Ｐ１が排紙ローラ５により送り出されている途中で用紙Ｐ１の先端が排紙スタッカ１の先端上に載った場合、用紙Ｐ１の重さが用紙Ｐ１の排紙ローラ５付近に集中して排出負荷が増大してしまい、排紙ローラ５が空回りして用紙Ｐ１を排出することができないおそれがある。
【０００５】
さらに、図の一点鎖線で示す用紙Ｐ２のように、用紙Ｐ２が自重により座屈して排紙スタッカ１上に垂れ下がった場合、用紙Ｐ２の後端が記録ヘッド４に接触して汚染されるおそれがある。このような事態を回避するには、排紙スタッカ１の先端までの長さを短くして、排紙スタッカ１の先端の高さを排紙ローラ５により排紙口３へ送り出されたときの用紙の高さより低くすればよいが、用紙が排紙スタッカ１の先端からはみ出してずり落ちるおそれがある。
【０００６】
本発明の目的は、上述した課題に鑑みなされたものであり、記録媒体を汚染させることなく確実に排出させることができる排出スタッカを有する記録装置及びその排出スタッカを提供することにある。
【０００７】
【課題を解決するための手段】
上記目的達成のため、本発明の請求項に係る記録装置では、記録装置本体と、当該記録装置本体に回転自在に支持された排出スタッカとを有し、記録書込みした記録媒体を排出ローラとギザローラとによって挟持して前記排出スタッカに排出する記録装置において、前記排出スタッカは、第１排出スタッカと、当該第１排出スタッカに格納・引出自在に設けられた第２排出スタッカとを有し、前記第１排出スタッカは、排出される前記記録媒体を略水平に支持する、当該第１排出スタッカと一体的に形成されている支持部を備え、前記第２排出スタッカを前記第１排出スタッカから引き出した状態で、前記第２排出スタッカの先端部に前記記録媒体が到達した時には、前記排出ローラとギザローラとの挟持部、前記支持部の頂部、及び前記第２排出スタッカの先端部で、前記記録媒体を略水平に支持することにより、前記記録媒体の重さが前記挟持部付近に集中しないようにすることを特徴としている。これにより、排出される記録媒体を面で支持することができるので、記録媒体の重さが排出ローラ付近に集中することはなく、排出ローラの空回りを防止して記録媒体を確実に排出することができる。さらに、記録媒体が自重により座屈して排出スタッカ上に垂れ下がることもなく、記録媒体の後端の記録ヘッドへの接触による汚染も無くすことができる。
【０００８】
また、本発明の請求項に係る記録装置では、前記支持部は、山形状の複数の板状部材を有し、当該板状部材が、前記排出スタッカの上面にて前記記録媒体の排出方向と直交する方向に所定間隔をあけて並設されていることを特徴としている。これにより、支持部を排出スタッカと一体的に形成することができるので、コストの上昇を抑えることができる。
【０００９】
上記目的達成のため、本発明の請求項に係る記録媒体の排出スタッカでは、記録装置本体に回転自在に支持され、排出される記録媒体を保持する排出スタッカにおいて、請求項１または２に記載の構造を有することを特徴としている。これにより、上記各作用・効果を奏する排出スタッカを提供することができる。
【００１０】
【発明の実施の形態】
以下、図面に基づいて本発明の実施の形態について詳細に説明する。
【００１１】
図１は、本発明の実施の形態に係る記録装置の１つであるインクジェット式プリンタの外部構成の全体を排紙口を閉じた状態で斜め前方から見た斜視図、図２は、その排紙口を開いた状態の斜視図ある。このインクジェット式プリンタ１００は、全体が幅方向に長く延びる直方体状の上部ハウジング１０１と下部ハウジング１０２を備えている。上部ハウジング１０１と下部ハウジング１０２は、スナップフィットにより締結されている。
【００１２】
上部ハウジング１０１の後方側には、給紙口１０３が形成されている。この給紙口１０３には、給紙される用紙が積層載置される給紙トレイ１１０が配設されている。給紙トレイ１１０は、斜め上後方へ突き出るように配設されており、用紙を傾斜した状態で保持するようになっている。上部ハウジング１０１の前方側には、排紙口１０４が形成されている。そして、上部ハウジング１０１と下部ハウジング１０２の前面側には、排紙される用紙が積層載置される後で詳述する排紙スタッカ１２０が配設されている。
【００１３】
上部ハウジング１０１の上部から前面にかけて窓部１０５が形成されている。この窓部１０５は、透明もしくは半透明な湾曲した開閉自在なカバー１０６によって覆われている。このカバー１０６を開放することにより、インクカートリッジの交換作業や内部機構のメンテナンス作業等を容易に行うことができる。また、上部ハウジング１０１の左後方側には、押しボタン式のパワー系のスイッチ１３１と操作系のスイッチ１３２、１３３が配設されている。
【００１４】
図３は、図１のインクジェット式プリンタ１００の上部ハウジング１０１を取り外したときの内部構成の全体を斜め前方から見た斜視図、図４は、その主要部の断面側面図である。下部ハウジング１０２上には、プリンタコントローラを構成する図３に示すメイン基板１３０が縦置きに配置されていると共に、プリントエンジンを構成する図３に示す記録手段１４０と、図４に示す用紙の供給手段１５０及び搬送手段１６０等が配設されている。
【００１５】
メイン基板１３０には、図示しないＣＰＵ、ＲＯＭ、ＲＡＭ、ＡＳＩＣ等の制御素子や記憶素子、及びその他の各種回路素子が装着されており、その上端には、上述したパワー系のスイッチ１３１や操作系のスイッチ１３２、１３３が押された時にそれぞれ発光することによりユーザがスイッチＯＮを確認し得るように配置された発光ダイオード１３４、１３５、１３６が突設されている。
【００１６】
記録手段１４０は、キャリッジ１４１、記録ヘッド１４２、キャリッジモータ１４３、タイミングベルト１４４、吸引ポンプ１４５等を備えている。搬送手段１６０により搬送される用紙は、キャリッジモータ１４３とタイミングベルト１４４により走査されるキャリッジ１４１に搭載された記録ヘッド１４２により記録されるようになっている。この記録ヘッド１４２は、フルカラー印刷が可能なように、キャリッジ１４１内に収納された例えばイエロー、マゼンタ、シアン、ブラックの計４色のインクカートリッジ１４６から各色インクが供給されるようになっている。
【００１７】
供給手段１５０は、給紙トレイ１１０、給紙ガイド１１１、給紙ローラ１５１、ホッパ１５２、分離パッド１５３等を備えている。給紙トレイ１１０に積層載置され給紙ガイド１１１により揃えられた用紙Ｐは、給紙ローラ１５１の回転に伴うホッパ１５２の上昇により分離パッド１５３で給紙ローラ１５１に押付けられ、最上位の用紙Ｐから１枚ずつ分離されて搬送手段１６０へ給送されるようになっている。
【００１８】
搬送手段１６０は、紙送りローラ１６１と従動ローラ１６２、排紙ローラ１６３とギザローラ１６４、紙送りモータ１６５、排紙スタッカ１２０等を備えている。供給手段１５０から供給される用紙Ｐは、紙送りモータ１６５により駆動されている紙送りローラ１６１と従動ローラ１６２に挟持されて記録手段１４０へ搬送され、さらに紙送りモータ１６５により駆動されている排紙ローラ１６３とギザローラ１６４に挟持されて排紙スタッカ１２０へ搬送されるようになっている。
【００１９】
図５は、上記排紙スタッカ１２０の詳細を示す斜視図である。この排紙スタッカ１２０は、その下部の回動軸１２０ａを中心に上部ハウジング１０１と下部ハウジング１０２の前面側に回動可能に取り付けられ、不使用時は起立方向に回動されて排紙口１０４を閉じ、使用時は倒伏方向に回動されて排紙口１０４を開け、下部ハウジング１０２から斜め上前方に突き出る位置で停止して用紙を受けるようになっている。この排紙スタッカ１２０は、基端側の１段目のスタッカ部材１２１及びこの１段目のスタッカ部材１２１に格納・引出自在に設けられた先端側の２段目のスタッカ部材１２２との２段構成となっている。
【００２０】
さらに、排紙スタッカ１２０の１段目のスタッカ部材１２１の上面には、排出される用紙を面で支持する山形状の複数の板状部材１２３ａを有する支持部１２３が一体的に形成されている。これらの板状部材１２３ａは、排紙スタッカ１２０の１段目のスタッカ部材１２１の上面にて用紙の排紙（搬送）方向と直交する方向に所定間隔をあけて並設されている。
【００２１】
このような板状部材１２３ａは、図６に示すように、排紙スタッカ１２０を倒伏方向に回動したときの板状部材１２３ａの頂部が、排紙ローラ１６３とギザローラ１６４の噛み合わせ部分と略同一となるように形成することにより、排出される用紙Ｐを略水平に支持することができる。したがって、用紙Ｐの重さが排紙ローラ１６３付近に集中することはなくなるので、排紙ローラ１６３の空回りを防止して用紙Ｐを確実に排出することができる。さらに、用紙Ｐが自重により座屈して排紙スタッカ１２０上に垂れ下がることもなくなるので、用紙Ｐの後端が記録ヘッド１４２に接触することもなく、用紙Ｐの汚染も防止することができる。
【００２２】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、排紙スタッカを有する記録装置であれば、例えば熱転写式等のプリンタ、インクジェット式、熱転写式等のファクシミリ装置やコピー装置等にも適用可能である。
【００２３】
【発明の効果】
以上説明したように、本発明によれば、排出される記録媒体を面で支持することができるので、記録媒体の重さが排出ローラ付近に集中することはなく、排出ローラの空回りを防止して記録媒体を確実に排出することができる。さらに、記録媒体が自重により座屈して排出スタッカ上に垂れ下がることもなく、記録媒体の後端の記録ヘッドへの接触による汚染も無くすことができる。
【図面の簡単な説明】
【図１】本発明の実施の形態に係る記録装置の１つであるインクジェット式プリンタの外部構成の全体を排紙口を閉じた状態で斜め前方から見た斜視図である。
【図２】図１のインクジェット式プリンタの排紙口を開いた状態の斜視図ある。
【図３】図１のインクジェット式プリンタの上部ハウジングを取り外したときの内部構成の全体を斜め前方から見た斜視図である。
【図４】図３のインクジェット式プリンタの主要部の断面側面図である。
【図５】図１のインクジェット式プリンタの排出スタッカの詳細を示す斜視図である。
【図６】図１のインクジェット式プリンタの排出スタッカの周辺の詳細を示す側面図である。
【図７】従来のプリンタにおける排紙スタッカの周辺部を示す断面側面図である。
【符号の説明】
１００    インクジェット式プリンタ
１０１    上部ハウジング
１０２    下部ハウジング
１０３    給紙口
１０４    排紙口
１０５    窓部
１０６    カバー
１１０    給紙トレイ
１１１    給紙ガイド
１２０    排紙スタッカ
１２３    支持部
１２３ａ  板状部材
１３０    メイン基板
１４０    記録手段
１４１    キャリッジ
１４２    記録ヘッド
１４３    キャリッジモータ
１４４    タイミングベルト
１４５    吸引ポンプ
１４６    インクカートリッジ
１５０    供給手段
１５１    給紙ローラ
１６０    搬送手段
１６１    紙送りローラ
１６３    排紙ローラ
１６５    紙送りモータ
【図１】
0003977108.tif 000002
【図２】
0003977108.tif 000003
【図３】
0003977108.tif 000004
【図４】
0003977108.tif 000005
【図５】
0003977108.tif 000006
【図６】
0003977108.tif 000007
【図７】
0003977108.tif 000008